(57)【特許請求の範囲】
【請求項１】
エレベータのかご内に設置されたかご内操作表示装置であって、
かごベースパネルと、
前記かごベースパネルに取り付けられたかごタッチパネル表示部であって、前記かごの運転状況と、前記かごのかごドアを開閉するために利用者が操作可能な開閉操作手段と、前記かごの行き先階登録を行うために利用者が操作可能な行き先階操作手段と、を表示するかごタッチパネル表示部と、を備え、
前記かごタッチパネル表示部は、複数のかごタッチパネルモジュールを有し、
複数の前記かごタッチパネルモジュールのうちの少なくとも１つの前記かごタッチパネルモジュールは、前記かごの運転状況を表示し、他の少なくとも１つの前記かごタッチパネルモジュールは、前記開閉操作手段を表示し、更に他の少なくとも１つの前記かごタッチパネルモジュールは、前記行き先階操作手段を表示し、
前記かごタッチパネルモジュールは、コネクタを有し、
互いに隣り合う２つの前記かごタッチパネルモジュールの前記コネクタ同士が直接接続されていることを特徴とするかご内操作表示装置。
【請求項２】
複数の前記かごタッチパネルモジュールのうちの１つの前記かごタッチパネルモジュールの表示領域は、他の前記かごタッチパネルモジュールの表示領域より大きいことを特徴とする請求項１に記載のかご内操作表示装置。
【請求項３】
前記かごベースパネルに取り付けられ、鍵によって操作可能なキースイッチまたは機械式操作手段を含む機械式モジュールを更に備えたことを特徴とする請求項１または２に記載のかご内操作表示装置。
【請求項４】
請求項１乃至３のいずれか一項に記載のかご内操作表示装置と、
エレベータの乗場に設置された乗場操作表示装置と、を備え、
前記乗場操作表示装置は、
乗場ベースパネルと、
前記乗場ベースパネルに取り付けられた乗場タッチパネル表示部であって、前記かごの運転状況と、前記かごの呼び登録を行うために利用者が操作可能な呼び操作手段と、を表示する乗場タッチパネル表示部と、を有し、
前記乗場タッチパネル表示部は、複数の乗場タッチパネルモジュールを有し、
前記乗場タッチパネルモジュールは、前記かごタッチパネルモジュールと同一の大きさかつ同一の機械的構造を有し、
複数の前記乗場タッチパネルモジュールのうちの少なくとも１つの前記乗場タッチパネルモジュールは、前記かごの運転状況を表示し、他の少なくとも１つの前記乗場タッチパネルモジュールは、前記呼び操作手段を表示することを特徴とするエレベータ装置。
【請求項５】
エレベータの乗場に設置された乗場操作表示装置であって、
乗場ベースパネルと、
前記乗場ベースパネルに取り付けられた乗場タッチパネル表示部であって、前記かごの運転状況と、前記かごの呼び登録を行うために利用者が操作可能な呼び操作手段と、を表示する乗場タッチパネル表示部と、を備え、
前記乗場タッチパネルは、複数の乗場タッチパネルモジュールを有し、
前記乗場タッチパネルモジュールの少なくとも２つは、同一の大きさかつ同一の機械的構造を有し、
複数の前記乗場タッチパネルモジュールのうちの少なくとも１つの前記乗場タッチパネルモジュールは、前記かごの運転状況を表示し、他の少なくとも１つの前記乗場タッチパネルモジュールは、前記呼び操作手段を表示し、
前記かごタッチパネルモジュールは、コネクタを有し、
互いに隣り合う２つの前記かごタッチパネルモジュールの前記コネクタ同士が直接接続されていることを特徴とする乗場操作表示装置。
【発明の詳細な説明】
【技術分野】
【０００１】
本発明の実施形態は、かご内操作表示装置、乗場操作表示装置およびエレベータ装置に関する。
【背景技術】
【０００２】
エレベータ装置のかご室内には、かごの運転状況（例えば、現在位置している階床や、昇降方向）を表示するかご内表示装置と、かご内操作盤とが設けられている。かご内操作盤は、かご内に乗車した利用者がかごの行き先階を登録したり、かごドアの開閉を行ったりするための各種操作ボタンを有している。かご内表示装置とかご内操作盤とは、図１３に示すように一体に構成される場合もある。すなわち、図１３に示すかご内操作盤８０は、ベースパネル８１と、ベースパネル８１の上部に設けられた表示部８２と、表示部８２の下方に設けられた複数の機械式の行き先階操作ボタン８３と、行き先階操作ボタン８３の下方に設けられた機械式の開ボタン８４および閉ボタン８５と、を有しており、表示部８２、各種ボタン８３、８４、８５が、共通のベースパネル８１に設けられている。
【０００３】
また、各乗場には、かごの運転状況を表示する乗場表示装置と、乗場操作盤とが設けられている。このうち乗場操作盤の例を図１４に示す。図１４に示す乗場操作盤９０は、ベースパネル９１と、ベースパネル９１に設けられ、乗場で待機する利用者が上階へ向うかごを呼び登録するための機械式の上呼びボタン９２と、下階へ向うかごを呼び登録するための機械式の下呼びボタン９３と、有している。図１４に示す乗場操作盤９０が乗場に設けられる場合には、乗場表示装置（図示せず）は、乗場操作盤９０とは別体に構成される。
【０００４】
上述した表示装置、操作盤は、エレベータ装置が設置される建物の階床数や仕様に応じて様々なパターンで作製されるため、数多くのバリエーションを有することになる。
【０００５】
ところで、タッチパネルを使用したエレベータの操作盤が知られている。このような操作盤を使用する場合、表示装置と操作盤とを一体にしてタッチパネルにおける表示内容を制御することにより、表示機能と操作機能の汎用性を有することができる。このため、操作盤のバリエーションの低減を図ることができる。
【先行技術文献】
【特許文献】
【０００６】
【特許文献１】特許第４６７５５４４号公報
【発明の概要】
【発明が解決しようとする課題】
【０００７】
しかしながら、タッチパネルを使用したかご内操作盤では、かご内表示装置と一体にする場合、かごドアを開閉するための開ボタンおよび閉ボタンと、かごの行き先階登録を行う行き先階操作ボタンと、かごの運転状況とが表示される。このことにより、タッチパネルが大型化され高価になるという問題が生じる。この問題は、乗場操作盤においても同様で、乗場表示装置と一体にする場合、かごの呼び登録を行うための上呼びボタンおよび下呼びボタンと、かごの運転状況とが表示されるため、タッチパネルが大型化され高価になり得る。
【０００８】
本発明は、このような点を考慮してなされたものであり、表示機能と操作機能の汎用性を有するとともに低コスト化を図ることができるかご内操作表示装置、乗場操作表示装置およびエレベータ装置を提供することを目的とする。
【課題を解決するための手段】
【０００９】
実施の形態によるかご内操作表示装置は、エレベータのかご内に設置されたかご内操作表示装置であって、かごベースパネルと、かごベースパネルに取り付けられたかごタッチパネル表示部と、を備えている。かごタッチパネル表示部は、かごの運転状況と、かごのかごドアを開閉するために利用者が操作可能な開閉操作手段と、かごの行き先階登録を行うために利用者が操作可能な行き先階操作手段と、を表示する。かごタッチパネル表示部は、複数のかごタッチパネルモジュールを有している。複数のかごタッチパネルモジュールのうちの少なくとも１つのかごタッチパネルモジュールは、かごの運転状況を表示し、他の少なくとも１つのかごタッチパネルモジュールは、開閉操作手段を表示し、更に他の少なくとも１つのかごタッチパネルモジュールは、行き先階操作手段を表示する。
【００１０】
また、実施の形態によるエレベータ装置は、上述したかご内操作表示装置と、エレベータの乗場に設置された乗場操作表示装置と、を備えている。乗場操作表示装置は、乗場ベースパネルと、乗場ベースパネルに取り付けられた乗場タッチパネル表示部と、を有している。乗場タッチパネル表示部は、かごの運転状況と、かごの呼び登録を行うために利用者が操作可能な呼び操作手段と、を表示する。乗場タッチパネル表示部は、少なくとも１つの乗場タッチパネルモジュールを有している。乗場タッチパネルモジュールは、かごタッチパネルモジュールと同一の大きさかつ同一の機械的構造を有している。複数の乗場タッチパネルモジュールのうちの少なくとも１つの乗場タッチパネルモジュールは、かごの運転状況を表示し、他の少なくとも１つの乗場タッチパネルモジュールは、呼び操作手段を表示する。
【００１１】
また、実施の形態による乗場操作表示装置は、エレベータの乗場に設置された乗場操作表示装置であって、乗場ベースパネルと、乗場ベースパネルに取り付けられた乗場タッチパネル表示部と、を備えている。乗場タッチパネル表示部は、かごの運転状況と、かごの呼び登録を行うために利用者が操作可能な呼び操作手段と、を表示する。乗場タッチパネルは、複数の乗場タッチパネルモジュールを有している。乗場タッチパネルモジュールの少なくとも２つは、同一の大きさかつ同一の機械的構造を有している。複数の乗場タッチパネルモジュールのうちの少なくとも１つの乗場タッチパネルモジュールは、かごの運転状況を表示し、他の少なくとも１つの乗場タッチパネルモジュールは、呼び操作手段を表示する。
【図面の簡単な説明】
【００１２】
【図１】図１は、本発明の第１の実施の形態におけるエレベータ装置の構成を示す概略図である。
【図２】図２は、図１のエレベータ装置のかご内を示す斜視図である。
【図３】図３は、第１の実施の形態におけるかご内操作表示装置を示す正面斜視図である。
【図４】図４は、図３のかご内操作表示装置の表示例を示す正面図である。
【図５】図５は、図３のかご内操作表示装置におけるかごタッチパネルモジュールを示す斜視図である。
【図６】図６は、図３の背面斜視図である。
【図７】図７は、図３のかご内操作表示装置の変形例を示す正面斜視図である。
【図８】図８は、図３のかご内操作表示装置の他の変形例を示す正面斜視図である。
【図９】図９は、図３のかご内操作表示装置の他の変形例を示す正面斜視図である。
【図１０】図１０は、図５のかごタッチパネルモジュールの他の変形例を示す正面斜視図である。
【図１１】図１１は、本発明の第２の実施の形態における乗場操作表示装置を示す正面斜視図である。
【図１２】図１２は、図１１の乗場操作表示装置における表示例を示す正面図である。
【図１３】図１３は、一般的なかご内操作盤を示す正面斜視図である。
【図１４】図１４は、一般的な乗場操作盤を示す斜視図である。
【発明を実施するための形態】
【００１３】
以下、図面を参照して、本発明の実施の形態について説明する。
【００１４】
（第１の実施の形態）
まず、図１乃至図６を用いて、第１の実施の形態によるかご内操作表示装置について説明する。ここでは、まず、エレベータ装置について図１を用いて説明する。
【００１５】
図１に示すように、エレベータ装置１は、昇降路２内を昇降自在なエレベータのかご（以下、単にかごと記す）３と、かご３に主ロープ４を介して連結された釣合錘５と、主ロープ４を介してかご３及び釣合錘５を昇降させる巻上機（昇降駆動部）６と、を備えている。主ロープ４は、巻上機６に連結されたトラクションシーブ７に巻き掛けられている。巻上機６には制御装置８が接続されている。このような構成において、制御装置８が巻上機６を制御することにより、巻上機６がトラクションシーブ７を回転駆動し、主ロープ４が巻き上げられて、かご３及び釣合錘５がそれぞれ昇降する。そして、かご３が、建物に設けられた複数の乗場９のうちの任意の乗場９に着床する。かご３が着床した際には、かご３に設けられたかごドア１０および乗場９に設けられた乗場ドア１１が開き、利用者が乗降可能になる。
【００１６】
図２には、上述したかご３の内部が示されている。かご内操作表示装置２０は、図２に示すように、かごドア１０の近傍の壁面に設置されている。このかご内操作表示装置２０は、かごの運転状況を表示したり、利用者がかご３を操作したりするためのものである。
【００１７】
図３に示すように、かご内操作表示装置２０は、かご３の壁面に取り付けられたかごベースパネル２１と、かごベースパネル２１に取り付けられたかごタッチパネル表示部３０と、を備えている。このうちかごベースパネル２１は、板金加工や、型による成形、押出加工により作製することができる。
【００１８】
かごタッチパネル表示部３０は、図３および図４に示すように、かご３の運転状況と、かご３のかごドア１０を開閉するために利用者が操作可能な開ボタン４０および閉ボタン４１（開閉操作手段）と、かご３の行き先階登録を行うために利用者が操作可能な行き先階操作ボタン４２（行き先階操作手段）と、を表示するように構成されている。このようなかごタッチパネル表示部３０は、図３乃至図５に示すように、複数のかごタッチパネルモジュール３１、３２、３３を有している。各かごタッチパネルモジュール３１、３２、３３に、かご３の運転状況の表示機能や、開閉ボタン４０、４１または行き先階操作ボタン４２の表示機能が割り当てられている。
【００１９】
本実施の形態においては、図４に示すように、かごタッチパネル表示部３０は５つのかごタッチパネルモジュール３１、３２、３３を有しており、このうちの１つのかごタッチパネルモジュール（第１かごタッチパネルモジュール３１）は、かご３の運転状況を表示している。他の１つのかごタッチパネルモジュール（第２かごタッチパネルモジュール３２）は、開ボタン４０および閉ボタン４１を表示し、更に他の３つのかごタッチパネルモジュール（第３かごタッチパネルモジュール３３）は、行き先階操作ボタン４２を表示している。
【００２０】
より具体的には、第１かごタッチパネルモジュール３１は、かご３が現在位置している階床と、かご３の昇降方向とを表示するように構成されている。第２かごタッチパネルモジュール３２は、かごドア１０を開くための開ボタン４０と、かごドア１０を閉じるための閉ボタン４１と、を表示し、開ボタン４０および閉ボタン４１が、利用者が触れることによって操作されるように構成されている。
【００２１】
第３かごタッチパネルモジュール３３のうちの１つは、１階を行き先階登録するための行き先階操作ボタン４２が表示され、他の１つは、２階を行き先階登録するための行き先階操作ボタン４２が表示され、更に他の１つは、３階を行き先階登録するための行き先階操作ボタン４２が表示されている。各行き先階操作ボタン４２は、利用者が触れることによって操作されるように構成されている。また、各第３かごタッチパネルモジュール３３は、自身の行き先階操作ボタン４２によってかご３の行き先階の登録が行われた場合に、行き先階が登録された旨を表示する。例えば、行き先階が登録された行き先階操作ボタン４２の表示色を変えたり、行き先階操作ボタン４２の形を変えたりして行き先階操作ボタン４２を表示することによって、行き先階が登録された旨を利用者に報知することが好適である。そして、行き先階が登録された旨は、当該行き先階にかご３が着床するまで表示される。このことにより、すでに登録された行き先階を他の利用者が登録することを防止でき、利用者の利便性を向上させることができる。
【００２２】
本実施の形態では、３階の行き先階操作ボタン４２を表示する第３かごタッチパネルモジュール３３は、その行き先階操作ボタン４２の近傍（図４では右側）に、３階に関連する情報４３（例えば、３階に設けられている施設の説明など）を表示するように構成されている。なお、他の第３かごタッチパネルモジュール３３が、対応する行き先階に関連する情報を表示するようにしてもよい。
【００２３】
図６示すように、各かごタッチパネルモジュール３１、３２、３３は、コネクタ３４を有しており、他のかごタッチパネルモジュール３１、３２、３３や制御装置８に配線３５を介して接続されるようになっている。図６においては、コネクタ３４がかごタッチパネルモジュール３１、３２、３３の裏面に設けられ、制御装置８に配線３５を介して第２かごタッチパネルモジュール３２のコネクタ３４が接続され、各かごタッチパネルモジュール３１、３２、３３が、コネクタ３４および配線３５によって直列状に接続される例を示している。しかしながら、各かごタッチパネルモジュール３１、３２、３３と制御装置８との接続形態は、これに限られることはない。なお、各かごタッチパネルモジュール３１、３２、３３のコネクタ３４を同一の接続構造とすることにより、接続作業性を向上させることができる。
【００２４】
図３乃至図５に示すように、第１かごタッチパネルモジュール３１、第２かごタッチパネルモジュール３２および第３かごタッチパネルモジュール３３は、同一の大きさかつ同一の機械的構造を有している。すなわち、各かごタッチパネルモジュール３１、３２、３３は、同一のハードウェア構成（装置構成）となっており、各かごタッチパネルモジュール３１、３２、３３の表示内容は、制御装置８によって制御されている。このため、各かごタッチパネルモジュール３１、３２、３３の表示内容を変更したり、または他のかごタッチパネルモジュール３１、３２、３３の表示内容と入れ替えたりすることが可能になっている。また、各かごタッチパネルモジュール３１、３２、３３の表示領域３６を互いに同一の大きさにすることができ、意匠性を向上させることができる。
【００２５】
図３、図４、図６に示すように、本実施の形態では、各かごタッチパネルモジュール３１、３２、３３は、かごベースパネル２１に取り外し可能に取り付けられ、上下方向に一列に配列されている。また、互いに隣り合う２つのかごタッチパネルモジュール３１、３２、３３の表示領域３６の間に仕切り部３７が設けられている。この仕切り部３７は、かごタッチパネルモジュール３１、３２、３３の外枠３８（図５参照）によって構成されている。すなわち、かごタッチパネルモジュール３１、３２、３３の外枠３８のうち互いに隣り合う部分同士によって仕切り部３７が構成されている。このような仕切り部３７は、表示領域３６の表面から突出していることが好ましい。
【００２６】
次に、このような構成からなる本実施の形態の作用について説明する。
【００２７】
ある乗場９の階床に着床したかご３に乗車した利用者は、まず、かご内操作表示装置２０の第３かごタッチパネルモジュール３３に表示された所望の行き先階操作ボタン４２に触れて、行き先階の登録を行う。この際、行き先階の登録が行われた行き先階操作ボタン４２の表示色が変えられたり、または行き先階操作ボタン４２の形が変えられたりし、行き先階が登録された旨を利用者に報知する。
【００２８】
続いて、利用者は、第２かごタッチパネルモジュール３２に表示された閉ボタン４１に触れて、かごドア１０を閉じる。
【００２９】
登録された行き先階の情報は、制御装置８に送信され、制御装置８は、当該行き先階に向けて巻上機６を駆動し、かご３を上昇または下降させる。この間、かご内操作表示装置２０の第１かごタッチパネルモジュール３１には、かご３の昇降方向が表示され、かご３の現在位置の階床が表示される。やがてかご３は、行き先階に達し、着床する。
【００３０】
かご３が行き先階に着床すると、かごドア１０が開き、かご３に乗車していた利用者はかご３から降車する。この際、降車する利用者が多い場合などには、利用者は、かご内操作表示装置２０の第２かごタッチパネルモジュール３２に表示された開ボタン４０に触れて、かごドア１０を開いた状態に維持するようにすることができる。
【００３１】
このように本実施の形態によれば、かご３の運転状況と開閉ボタン４０、４１と行き先階操作ボタン４２とを表示するかごタッチパネル表示部３０が、複数のかごタッチパネルモジュール３１、３２、３３を有している。このことにより、かごタッチパネル表示部３０を、小型化された複数のかごタッチパネルモジュール３１、３２、３３によって構成することができる。このため、表示機能と操作機能の汎用性を有するとともに低コスト化を図ることができるかご内操作表示装置２０を得ることができる。
【００３２】
また、本実施の形態によれば、かごタッチパネル表示部３０が複数のかごタッチパネルモジュール３１、３２、３３を有していることにより、一のかごタッチパネルモジュールを他のかごタッチパネルモジュールから容易に切り離すことができる。このため、例えば、かご３を着床させない階床が生じた場合などには、当該階床に対応する第３かごタッチパネルモジュール３３を他のかごタッチパネルモジュール３１、３２、３３から切り離して休止させることができ、かご内操作表示装置２０における消費電力を低減して、節電に寄与することができる。
【００３３】
また、本実施の形態によれば、各かごタッチパネルモジュール３１、３２、３３は、同一の大きさかつ同一の機械的構造を有している。このことにより、かごタッチパネルモジュール３１、３２、３３の量産性を向上させることができ、より一層低コスト化を図ることができる。また、この場合、タッチパネルモジュールを予備保管しておくことにより、一のかごタッチパネルモジュールが故障した場合には、正常なタッチパネルモジュールに容易に交換することができ、かごタッチパネルモジュール３１、３２、３３の故障時の迅速な修理が可能となる。
【００３４】
また、本実施の形態によれば、かごタッチパネルモジュール３１、３２、３３は、かごベースパネル２１に取り外し可能に取り付けられている。このことにより、かごタッチパネルモジュールの交換作業を容易に行うことができる。
【００３５】
また、本実施の形態によれば、かごタッチパネルモジュール３１、３２、３３は、上下方向に一列に配列されている。このことにより、かごタッチパネルモジュール３１、３２、３３の組立作業性を向上させることができるとともに、かごタッチパネル表示部３０の意匠性を向上させることができる。
【００３６】
また、本実施の形態によれば、互いに隣り合う２つのかごタッチパネルモジュール３１、３２、３３の表示領域３６の間に仕切り部３７が設けられている。このことにより、所望のボタンに触れようとする利用者が、誤って他のボタンに触れることを防止でき、利用者の誤操作を防止して利便性を向上できる。仕切り部３７が表示領域３６の表面から突出する場合には、利用者にとってより一層認識しやすくすることができる。
【００３７】
また、本実施の形態によれば、第１かごタッチパネルモジュール３１がかご３の運転状況を表示し、第２かごタッチパネルモジュール３２が開ボタン４０および閉ボタン４１を表示し、第３かごタッチパネルモジュール３３が行き先階操作ボタン４２を表示する。このことにより、かごタッチパネル表示部３０による表示の視認性および意匠性を向上させることができ、利用者の利便性を向上できる。
【００３８】
また、本実施の形態によれば、第３かごタッチパネルモジュール３３は、行き先階操作ボタン４２によってかご３の行き先階の登録が行われた場合に、行き先階が登録された旨を表示する。このことにより、すでに登録された行き先階を他の利用者が登録することを防止でき、利用者の利便性を向上させることができる。
【００３９】
また、本実施の形態によれば、３階の行き先階操作ボタン４２を表示する第３かごタッチパネルモジュール３３が、３階に関連する情報４３を表示する。このことにより、利用者は、目的場所が設けられている階床（目的階）を知らない場合であっても、容易に目的階を知ることができ、利用者の利便性を向上させることができる。
【００４０】
なお、上述した本実施の形態においては、各かごタッチパネルモジュール３１、３２、３３の表示領域３６が、同一の大きさを有している例について説明した。しかしながら、このことに限られることはなく、例えば、図７に示すように、５つのかごタッチパネルモジュール３１、３２、３３のうちの１つのかごタッチパネルモジュールの表示領域は、他のかごタッチパネルモジュールの表示領域より大きくなっていてもよい。このことにより、表示される内容に応じて、適切な表示領域とすることができ、表示の視認性を向上させることができる。図７においては、第１かごタッチパネルモジュール３１の表示領域３６が、他のかごタッチパネルモジュール３２、３３の表示領域３６より大きくなっている例を示しており、かご３の運転状況の表示の視認性を向上させている。なお、図示しないが、いずれかのかごタッチパネルモジュールを、文字入力手段としてのキーボードなどの複雑な操作機能を表示可能に構成してもよく、この場合には、当該かごタッチパネルモジュールの表示領域の大きさを大きくすることが好適である。
【００４１】
また、上述した本実施の形態においては、各かごタッチパネルモジュール３１、３２、３３は、上下方向に一列に配列されている例について説明した。しかしながら、このことに限られることはなく、例えば、図８に示すように、５つのかごタッチパネルモジュール３１、３２、３３は、上下方向に二列に配列されていてもよい。ここでは、各かごタッチパネルモジュール３１、３２、３３は、図４のように正面から見た場合の横寸法が縦寸法の約２倍になっており、図８では、かごタッチパネルモジュール３１、３２、３３が９０°回転して長手方向を上下方向に向けて、かごベースパネル２１に取り付けられている。このことにより、図３および図４に示すかごベースパネル２１と同一の幅を有するかごベースパネル２１を用いて、かごタッチパネルモジュール３１、３２、３３の配列を変更することが可能になっている。このため、かごタッチパネルモジュール３１、３２、３３の配置のバリエーションを増やすことができ、表示される情報に応じて、適切なかごタッチパネルモジュール３１、３２、３３の配列を実現することができるとともに、意匠性に付加価値を追加することができる。
【００４２】
また、上述した本実施の形態においては、例えば、図９に示すように、かごベースパネル２１に、管理者や保守作業員などが保管する鍵によって操作可能なキースイッチ４４を含む機械式モジュール４５が設けられるようにしてもよい。図９に示す形態においては、２つの機械式モジュール４５が設けられている例が示されており、一方の機械式モジュール４５に、かごドア１０を開くための機械式の（タッチパネル式ではない）開ボタン４６（機械式操作手段）が設けられ、他方の機械式モジュール４５に、かごドア１０を閉じるための機械式の（タッチパネル式ではない）閉ボタン４７（機械式操作手段）が設けられている。各機械式モジュール４５のかごベースパネル２１に対する接続構造は、かごタッチパネルモジュール３１、３２、３３のかごベースパネル２１に対する接続構造と同一となっており、かごタッチパネルモジュール３１、３２、３３と交換可能になっている。このことにより、かごタッチパネルモジュールと機械式モジュール４５との配列の汎用性を確保している。なお、機械式モジュール４５の使用個数は、図９に示す形態に限られることはない。また、機械式モジュール４５の構成も、図９に示す形態に限られることはなく、機械式モジュール４５は、キースイッチ４４、開ボタン４５および閉ボタン４６のうちのいずれか一つを含むようにしてもよく、さらには、他の機械式ボタン（機械式操作手段）を含むようにしてもよい。
【００４３】
また、上述した本実施の形態においては、かごタッチパネルモジュール３１、３２、３３の裏面にコネクタ３４が設けられ、コネクタ３４同士が配線３５によって接続されている例について説明した。しかしながら、このことに限られることはなく、互いに隣り合う２つのかごタッチパネルモジュール３１、３２、３３のコネクタ３４同士が直接接続されるようにしてもよい。この場合、コネクタ３４は、かごタッチパネルモジュール３１、３２、３３の上面および下面に設けられることが好適である。このことにより、配線３５を介在させることなく、各かごタッチパネルモジュール３１、３２、３３のコネクタ３４同士を直接接続することができる。このため、接続作業性をより一層向上させることができる。
【００４４】
（第２の実施の形態）
次に、図１１および図１２により、本発明の第２の実施の形態におけるかご内操作表示装置、乗場操作表示装置およびエレベータ装置について説明する。
【００４５】
図１１および図１２に示す第２の実施の形態においては、乗場操作表示装置が乗場タッチパネル表示部を有している点が主に異なり、他の構成は、図１乃至図６に示す第１の実施の形態と略同一である。なお、図１１および図１２において、図１乃至図６に示す第１の実施の形態と同一部分には同一符号を付して詳細な説明は省略する。
【００４６】
エレベータの乗場９には、図１１に示すような乗場操作表示装置５０が設置されている。乗場９には、かごドア１０と連動する乗場ドア１１（いずれも図１参照）が設けられており、乗場操作表示装置５０は、この乗場ドア１１の近傍の壁面に設置される。乗場操作表示装置５０は、かご３の運転状況を表示したり、利用者がかご３の呼び登録を行ったりするためのものである。
【００４７】
図１１に示すように、乗場操作表示装置５０は、乗場９の壁面に取り付けられた乗場ベースパネル５１と、乗場ベースパネル５１に取り付けられた乗場タッチパネル表示部６０と、を備えている。このうち、乗場ベースパネル５１は、かごベースパネル２１と同様に作製することができる。
【００４８】
図１１および図１２に示すように、乗場タッチパネル表示部６０は、かご３の運転状況と、かご３の呼び登録を行うために利用者が操作可能な呼び上呼びボタン６２および下呼びボタン６３（呼び操作手段）と、を表示するように構成されている。図１１および図１２に示す形態では、乗場タッチパネル表示部６０は、１つの乗場タッチパネルモジュール６１によって構成されており、この１つの乗場タッチパネルモジュール６１によって、かご３の運転状況と、上呼びボタン６２、下呼びボタン６３とを表示可能に構成されている。
【００４９】
乗場タッチパネルモジュール６１は、乗場ベースパネル５１に取り外し可能に取り付けられている。乗場タッチパネルモジュール６１は、図４のようなかごタッチパネルモジュール３１、３２、３３の取付状態に対して９０°回転して長手方向を上下方向に向けて（すなわち、図８と同様に）乗場ベースパネル５１に取り付けられている。すなわち、乗場ベースパネル５１の幅は、かごベースパネル２１の幅の約半分になっている。
【００５０】
図１２に示すように、乗場呼び登録が行われていない間、乗場タッチパネルモジュール６１は、上階へ向うかご３を呼び登録するための上呼びボタン６２と、下階へ向うかご３を呼び登録するための下呼びボタン６３と、を表示する。これらの上呼びボタン６２および下呼びボタン６３は、利用者が触れることによって操作されるように構成されている。
【００５１】
乗場９に待機する利用者によって呼び登録が行われると、操作されたボタンの表示が消え、かご３の運転状況が表示される。この際、かご３が現在位置している階床を表示させてもよく、かご３の昇降方向を表示させるようにしてもよい。
【００５２】
乗場タッチパネルモジュール６１は、かごタッチパネル表示部３０のかごタッチパネルモジュール３１、３２、３３と同一の大きさかつ同一の機械的構造を有している。また、乗場タッチパネルモジュール６１は、かごタッチパネルモジュール３１、３２、３３のコネクタ３４（図６参照）と同じコネクタを有している。
【００５３】
このように本実施の形態によれば、乗場操作表示装置５０の乗場タッチパネルモジュール６１が、かご内操作表示装置２０のかごタッチパネルモジュール３１、３２、３３と同一の大きさかつ同一の機械的構造を有している。このことにより、乗場タッチパネル表示部６０を、表示機能と操作機能とを兼ね備えた小型化された乗場タッチパネルモジュール６１によって構成することができる。このため、表示機能と操作機能の汎用性を有するとともに低コスト化を図ることができる乗場操作表示装置５０を得ることができる。
【００５４】
また、本実施の形態によれば、乗場タッチパネルモジュール６１とかごタッチパネルモジュール３１、３２、３３の量産性を向上させることができ、乗場操作表示装置５０およびかご内操作表示装置２０の低コスト化を図ることができる。また、この場合、タッチパネルモジュールを予備保管しておくことにより、乗場タッチパネルモジュール６１が故障した場合には、正常なタッチパネルモジュールに容易に交換することができ、乗場タッチパネルモジュール６１の故障時の迅速な修理が可能となる。
【００５５】
なお、上述した本実施の形態においては、乗場タッチパネル表示部６０が、１つの乗場タッチパネルモジュール６１によって構成されている例について説明した。しかしながら、このことに限られることはなく、乗場タッチパネル表示部６０は、複数の乗場タッチパネル表示部６０を有していてもよい。例えば、複数の乗場タッチパネルモジュールのうちの少なくとも１つの乗場タッチパネルモジュールが、かご３の運転状況を表示し、他の少なくとも１つの乗場タッチパネルモジュールが、上呼びボタン６２および下呼びボタン６３を表示するように構成してもよい。この場合、かご３の運転状況と上呼びボタン６２および下呼びボタン６３を、別々の乗場タッチパネルモジュールによって表示することができ、表示機能と操作機能の汎用性を向上させることができるとともに、利用者の利便性を向上させることができる。
【００５６】
また、上述した本実施の形態においては、乗場タッチパネルモジュール６１は、かごタッチパネル表示部３０のかごタッチパネルモジュール３１、３２、３３と同一の大きさかつ同一の機械的構造を有している例について説明した。しかしながら、このことに限られることはなく、例えば、乗場タッチパネルモジュール６１は、かごタッチパネル表示部３０のかごタッチパネルモジュール３１、３２、３３と同一の大きさまたは同一の機械的構造を有することなく、かつ乗場タッチパネル表示部６０が、複数の乗場タッチパネルモジュールを有していてもよい。この場合においても、乗場タッチパネル表示部６０を、小型化された複数の乗場タッチパネルモジュールによって構成することができる。このため、表示機能と操作機能の汎用性を有するとともに低コスト化を図ることができる乗場操作表示装置５０を得ることができる。
【００５７】
また、この場合、複数の乗場タッチパネルモジュールのうちの少なくとも２つが同一の大きさかつ同一の機械的構造を有している場合には、乗場タッチパネルモジュールの量産性を向上させることができ、低コスト化を図ることができる。また、この場合、タッチパネルモジュールを予備保管しておくことにより、一の乗場タッチパネルモジュールが故障した場合には、正常なタッチパネルモジュールに容易に交換することができ、乗場タッチパネルモジュールの故障時の迅速な修理が可能となる。
【００５８】
本発明のいくつかの実施の形態を説明したが、これらの実施の形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。また、当然のことながら、本発明の要旨の範囲内で、これらの実施の形態を、部分的に適宜組み合わせることも可能である。
【符号の説明】
【００５９】
３      かご
１０    かごドア
２０    かご内操作表示装置
２１    かごベースパネル
３０    かごタッチパネル表示部
３１    第１かごタッチパネルモジュール
３２    第２かごタッチパネルモジュール
３３    第３かごタッチパネルモジュール
３４    コネクタ
３６    表示領域
３７    仕切り部
４０    開ボタン
４１    閉ボタン
４２    行き先階操作ボタン
４３    関連する情報
４４    キースイッチ
４５    機械式モジュール
５０    乗場操作表示装置
５１    乗場ベースパネル
６０    乗場タッチパネル表示部
６１    乗場タッチパネルモジュール
６２    上呼びボタン
６３    下呼びボタン
【図１】
0005856236.tif 000002
【図２】
0005856236.tif 000003
【図３】
0005856236.tif 000004
【図４】
0005856236.tif 000005
【図５】
0005856236.tif 000006
【図６】
0005856236.tif 000007
【図７】
0005856236.tif 000008
【図８】
0005856236.tif 000009
【図９】
0005856236.tif 000010
【図１０】
0005856236.tif 000011
【図１１】
0005856236.tif 000012
【図１２】
0005856236.tif 000013
【図１３】
0005856236.tif 000014
【図１４】
0005856236.tif 000015